(57)【要約】      （修正有）【課題】使用済みバラードメッキ版を、研磨粉が微量しか発生しないように無数の傷を付けて版面を潰しその後リサイクルに回すことができる版面潰版装置。【解決手段】装置フレーム１１に支持されるベースロール１２に、使用済みのグラビア印刷ロールから剥離し切り離した使用済みバラードメッキ版Ｗを巻付けて、一端固定手段１３と一対のフリー回転ロール１４と一対のキャスター１５とで抑え付け、ワイヤーブラシ回転工具１６を支持する昇降ヘッド１７を下降し、ワイヤーブラシ回転工具を回転し使用済みバラードメッキ版Ｗに当接して版面を潰版して走行フレーム１８の往復走行とベースロールのステップ回転とを交番させて、使用済みバラードメッキ版Ｗの全面を潰版する。【選択図】図１
0003126910.tif 000002
【実用新案登録請求の範囲】
【請求項１】
使用済みバラードメッキ版を円筒状に保持して回転するためのベースロールと、前記使用済みバラードメッキ版を前記ベースロールに巻付けた状態に固定する版固定手段と、ワイヤーブラシ回転工具と、このワイヤーブラシ回転工具を回転し前記使用済みバラードメッキ版に当接しかつ使用済みバラードメッキ版の全面を潰版するように、このワイヤーブラシ回転工具を走行フレームのベースロールに沿った往復走査とベースロールのステップ回転とを交番させる駆動手段とからなる、ことを特徴とする版面潰版装置。
【請求項２】
使用済みバラードメッキ版を円筒状に保持して回転するためのベースロールと、前記使用済みバラードメッキ版を前記ベースロールに巻付けた状態に固定する版固定手段と、ワイヤーブラシ回転工具と、このワイヤーブラシ回転工具を回転し前記使用済みバラードメッキ版に当接しかつ使用済みバラードメッキ版の全面を潰版するように、このワイヤーブラシ回転工具を走行フレームのベースロールに沿った往復走査とベースロールのステップ回転とを交番させる駆動手段とからなり、
前記版固定手段は、前記使用済みバラードメッキ版を前記ベースロールの段部に一端を固定する一端固定手段と、前記ベースロールに巻付けた状態に抑える前記研磨ヘッドを挟む前記ベースロールの周方向の両側位置で前記一端固定手段により一端を固定した前記使用済みバラードメッキ版を前記ベースロールの２つの母線に沿って押え付ける一対のフリー回転ロールとを備えてなる、ことを特徴とする版面潰版装置。
【請求項３】
使用済みバラードメッキ版を円筒状に保持して回転するためのベースロールと、前記使用済みバラードメッキ版を前記ベースロールに巻付けた状態に固定する版固定手段と、ワイヤーブラシ回転工具と、このワイヤーブラシ回転工具を回転し前記使用済みバラードメッキ版に当接しかつ使用済みバラードメッキ版の全面を潰版するように、このワイヤーブラシ回転工具を走行フレームのベースロールに沿った往復走査とベースロールのステップ回転とを交番させる駆動手段とからなり、
前記版固定手段は、前記使用済みバラードメッキ版を前記ベースロールの段部に一端を固定する一端固定手段と、前記ベースロールに巻付けた状態に抑える前記研磨ヘッドを挟む前記ベースロールの周方向の両側位置で前記一端固定手段により一端を固定した前記使用済みバラードメッキ版を前記ベースロールの２つの母線に沿って押え付ける一対のフリー回転ロールと、前記ワイヤーブラシ研磨具の移動方向両側に位置して前記研磨ヘッドに弾持され前記前記使用済み版に当接し浮きあがりを抑えて走行する一対のキャスターとを備えてなり、
前記ワイヤーブラシ研磨具は、前記ベースロールに巻付けた状態の前記使用済み版に突き立てて回転し、かつ、前記ベースロールの端面外方から両端部に当接する際に前記使用済みバラードメッキ版の固定端から巻付け方向にブラシ先端が版面に擦傷するように回転して、前記ベースロールの母線方向に一端から他端まで移動し、版面に擦傷を付けて潰版することを、前記ベースロールをステップ回動する毎に反復して、全版面を潰版するように構成されていることを、特徴とする版面潰版装置。
【考案の詳細な説明】
【技術分野】
【０００１】
本考案は、使用済みのグラビア印刷ロールから剥離し切り離した使用済みバラードメッキ版の版面潰版装置に関するものである。
【背景技術】
【０００２】
通常のグラビア印刷ロールは、直版タイプとバラードメッキタイプとがある。前者は、鉄又はアルミニウムの円筒面にニッケルメッキを施してなるベースロールに、バラード銅メッキ（硫酸銅メッキ）を施して版面を形成し、硬質クロムを施してなる。後者は、前記ベースロールに、硫酸銅メッキを施して版面を形成し、硬質クロムを施してなる。証券を印刷する版は、バラードニッケルメッキが適用されている。
【０００３】
使用済み直版タイプグラビア印刷ロールの落版は、ＮＣ旋盤により行なっており、精密に計測して、円筒研磨を必要最小限度行って落版し、円筒加工したロールは再使用する方法が取られている（特許文献１参照）。これに対して、バラードメッキタイプのグラビア印刷ロールの落版は、バラードメッキ層を剥離して適当な大きさに切り刻んで廃材として処理しており、版面除去装置がなかった。
【０００４】
使用済みのグラビア印刷ロールから剥離し切り離したバラードメッキの証券用使用済み版については、硫酸銅メッキではなくて硬度が高いニッケル合金メッキが採用されている。ニッケル合金メッキは、バラード銅メッキ（硫酸銅メッキ）に比較して、切り刻みが面倒であり、又、材料費が高く付くので廃材処理は適切ではなく、ニッケル合金メッキ材料にリサイクルしている。
【特許文献１】特開２００４−９２６２号公報
【考案の開示】
【考案が解決しようとする課題】
【０００５】
上記バラードメッキの証券用使用済み版については、版面の悪用がないようにするために、版面を研磨により除去してリサイクルする必要があり、従来は、そのための版面除去装置がなかった。又、使用済みのグラビア印刷ロールの状態でバラードメッキの証券用使用済み版について、砥石研磨装置で落版を行うと、バラードメッキが引き裂けてしまう虞があり、引き裂けてしまったバラードメッキの版は、もはや砥石研磨装置では落版できないという問題が生じる。又、砥石研磨装置で落版を行うと、リサイクルには回せないニッケルの研磨粉の処理に困ることになる。
【０００６】
本考案は、上記事情に鑑み創案されたもので、使用済みのグラビア印刷ロールから剥離し切り離した使用済みバラードメッキ版を、研磨粉が微量しか発生しないように無数の傷を付けて版面を潰しその後リサイクルに回すことができる、版面潰版装置を提供することを目的としている。
【課題を解決するための手段】
【０００７】
上記目的を解決するために、本考案の版面潰版装置は、使用済みバラードメッキ版を円筒状に保持して回転するためのベースロールと、前記使用済みバラードメッキ版を前記ベースロールに巻付けた状態に固定する版固定手段と、ワイヤーブラシ回転工具と、このワイヤーブラシ回転工具を回転し前記使用済みバラードメッキ版に当接しかつ使用済みバラードメッキ版の全面を潰版するように、このワイヤーブラシ回転工具を走行フレームのベースロールに沿った往復走査とベースロールのステップ回転とを交番させる駆動手段とからなる、ことを特徴とする（請求項１）。
【０００８】
上記構成により、使用済みバラードメッキ版をベースロールに巻付けた状態に版固定手段により固定する。そして、このワイヤーブラシ回転工具を走行フレームのベースロールに沿った往復走査とベースロールのステップ回転とを交番させて、使用済みバラードメッキ版の全面を潰版する。すなわち、ワイヤーブラシ研磨具を、使用済み版に突き立てて回転してベースロールの母線方向に一端から他端まで移動して版面に擦傷を付けて潰版する。次いで、ベースロールを一回の研磨幅に対応するステップ角ずつ回動する。再び、ワイヤーブラシ研磨具を、使用済み版に突き立てて回転してベースロールの母線方向に前記他端から前記一端まで移動して版面に擦傷を付けて潰版する。こうして、版面に擦傷を付けて潰版することを、ベースロールをステップ回動する毎に反復して、研磨粉の発生を微量に抑えて全版面を潰版する。
【０００９】
本考案の他の版面潰版装置は、使用済みバラードメッキ版を円筒状に保持して回転するためのベースロールと、前記使用済みバラードメッキ版を前記ベースロールに巻付けた状態に固定する版固定手段と、ワイヤーブラシ回転工具と、このワイヤーブラシ回転工具を回転し前記使用済みバラードメッキ版に当接しかつ使用済みバラードメッキ版の全面を潰版するように、このワイヤーブラシ回転工具を走行フレームのベースロールに沿った往復走査とベースロールのステップ回転とを交番させる駆動手段とからなり、前記版固定手段は、前記使用済みバラードメッキ版を前記ベースロールの段部に一端を固定する一端固定手段と、前記ベースロールに巻付けた状態に抑える前記研磨ヘッドを挟む前記ベースロールの周方向の両側位置で前記一端固定手段により一端を固定した前記使用済みバラードメッキ版を前記ベースロールの２つの母線に沿って押え付ける一対のフリー回転ロールとを備えてなる、ことを特徴とする（請求項２）。
【００１０】
上記構成により、使用済みのグラビア印刷ロールから剥離し切り離した使用済みバラードメッキ版の一端をベースロールの段部に一端固定手段により固定してからベースロールに巻付けた状態にして一対のフリー回転ロールで押さえ付る。そして、ワイヤーブラシ研磨具を、使用済み版に突き立てて回転してベースロールの母線方向に一端から他端まで移動して版面に擦傷を付けて潰版する。次いで、ベースロールを、駆動手段により一回の研磨幅に対応するステップ角ずつ回動する。再び、ワイヤーブラシ研磨具を、使用済み版に突き立てて回転してベースロールの母線方向に前記他端から前記一端まで移動して版面に擦傷を付けて潰版する。こうして、版面に擦傷を付けて潰版することを、ベースロールをステップ回動する毎に反復して、研磨粉の発生を微量に抑えて全版面を潰版する。
【００１１】
本考案のさらに他の版面潰版装置は、使用済みバラードメッキ版を円筒状に保持して回転するためのベースロールと、前記使用済みバラードメッキ版を前記ベースロールに巻付けた状態に固定する版固定手段と、ワイヤーブラシ回転工具と、このワイヤーブラシ回転工具を回転し前記使用済みバラードメッキ版に当接しかつ使用済みバラードメッキ版の全面を潰版するように、このワイヤーブラシ回転工具を走行フレームのベースロールに沿った往復走査とベースロールのステップ回転とを交番させる駆動手段とからなり、前記版固定手段は、前記使用済みバラードメッキ版を前記ベースロールの段部に一端を固定する一端固定手段と、前記ベースロールに巻付けた状態に抑える前記研磨ヘッドを挟む前記ベースロールの周方向の両側位置で前記一端固定手段により一端を固定した前記使用済みバラードメッキ版を前記ベースロールの２つの母線に沿って押え付ける一対のフリー回転ロールと、前記ワイヤーブラシ研磨具の移動方向両側に位置して前記研磨ヘッドに弾持され前記前記使用済み版に当接し浮きあがりを抑えて走行する一対のキャスターとを備えてなり、前記ワイヤーブラシ研磨具は、前記ベースロールに巻付けた状態の前記使用済み版に突き立てて回転し、かつ、前記ベースロールの端面外方から両端部に当接する際に前記使用済みバラードメッキ版の固定端から巻付け方向にブラシ先端が版面に擦傷するように回転して、前記ベースロールの母線方向に一端から他端まで移動し、版面に擦傷を付けて潰版することを、前記ベースロールをステップ回動する毎に反復して、全版面を潰版するように構成されていることを、特徴とする（請求項３）。
【００１２】
上記構成により、使用済みのグラビア印刷ロールから剥離し切り離した使用済みバラードメッキ版の一端をベースロールの段部に一端固定手段により固定してからベースロールに巻付けた状態にして一対のフリー回転ロールで押さえ付る。そして、一対のフリー回転ロール間の使用済み版に一対のキャスターを押し付けて、ワイヤーブラシ研磨具を、使用済み版に突き立てて回転しかつベースロールの両端において前記使用済みバラードメッキ版の固定端から巻付け方向にブラシ先端が版面に擦傷するように回転してベースロールの母線方向に一端から他端まで移動して版面に擦傷を付けて潰版する。次いで、ベースロールを、駆動手段により一回の研磨幅に対応するステップ角ずつ回動する。再び、ワイヤーブラシ研磨具を、使用済み版に突き立てて回転しかつベースロールの両端において前記使用済みバラードメッキ版の固定端から巻付け方向にブラシ先端が版面に擦傷するように半転してベースロールの母線方向に前記他端から前記一端まで移動して版面に擦傷を付けて潰版する。こうして、版面に擦傷を付けて潰版することを、ベースロールをステップ回動する毎に反復して、研磨粉の発生を微量に抑えて全版面を潰版する。
【考案の効果】
【００１３】
本考案によれば、使用済みのグラビア印刷ロールから剥離し切り離した使用済みバラードメッキ版を、研磨粉が微量しか発生しないように無数の傷を付けて版面を潰しその後リサイクルに回すことができる。
【考案を実施するための最良の形態】
【００１４】
以下に、本考案の実施形態を図面を用いて説明する。
図１は、版面潰版装置の正面図、図２は、図１におけるIIｂ−IIｂ断面図を示す。
この版面潰版装置１０は、装置フレーム１１に支持されるベースロール１２に、使用済みのグラビア印刷ロールから剥離し切り離した使用済みバラードメッキ版Ｗを巻付けて固定し、ワイヤーブラシ回転工具１６を回転し使用済みバラードメッキ版Ｗに当接しかつこのワイヤーブラシ回転工具を走行フレームのベースロールに沿った往復走査とベースロールのステップ回転とを交番させることを移動手段により実行して使用済みバラードメッキ版Ｗの全面を潰版する構成である。
一層詳しくは、この版面潰版装置１０は、装置フレーム１１に支持されるベースロール１２に、使用済みのグラビア印刷ロールから剥離し切り離した使用済みバラードメッキ版Ｗを巻付けて、一端固定手段１３と一対のフリー回転ロール１４，１４と一対のキャスター１５，１５とで抑え付け、ワイヤーブラシ回転工具１６を支持する昇降ヘッド１７を下降し、ワイヤーブラシ回転工具１６を回転し使用済みバラードメッキ版Ｗに当接して版面を潰版して走行フレーム１８の往復走行とベースロール１２のステップ回転とを交番させて、使用済みバラードメッキ版Ｗの全面を潰版する構成である。
以下、詳述する。
【００１５】
ベースロール１２は、両端の軸部を装置フレーム１１に支持されていて、軸心が水平であり、昇降ヘッド１７の片道移動毎に、一回の研磨幅に対応するステップ角ずつ回動するように構成されている。ここでは、ベースロール１２は、装置フレーム１１に付設されたハンドル１９又はモータ２０により回動するように構成されている。モータ２０による回動する構成は、スイッチ２１をオンする毎に一回の研磨幅に対応するステップ角ずつ回動する構成とするか、又はスイッチ２１を一回オンすると昇降ヘッド１７の片道移動を終了する毎に一回の研磨幅に対応するステップ角ずつ回動する構成とすることができる（図１参照）。
【００１６】
このベースロール１２には、周面を密着状態に一巻きするステンレス板２２が取り外し可能に巻き付けられている。ステンレス板２２は、直角に折り曲げられた両端を、ベースロール１２の周面の一部に一端から他端までの面全長に及ぶ凹部１２ａの段部端面に合わされ、適宜の固定手段で締付固定されている。この固定手段は、ここでは、このベースロール１２の周面の一部に一端から他端までの面全長に及ぶ凹部１２ａが形成され、凹部１２ａの正面にボルト（図示しない）により固定されたブロック２３の側面に螺設した両端のねじ２４とこれに螺合したロックナット２５であり、ねじ２４で、ステンレス板２２の両端が凹部１２ａの段部端面に合わされた折り曲げ端を強く突っ張って、ロックナット２５を凹部１２ａの段部端面に締付けるように構成されている。締付固定されている。ステンレス板２２は、昇降ヘッド１７による磨耗が大きくなったときに交換される（図３参照）。
【００１７】
一端固定手段１３と一対のフリー回転ロール１４，１４と一対のキャスター１５，１５は、使用済みのグラビア印刷ロールから剥離し切り離した使用済みバラードメッキ版Ｗをベースロール１２に巻付けたステンレス板２２の上にさらに重ねて巻き付ける状態に固定する版固定手段を構成している（図１，図２，図４参照）。
【００１８】
一端固定手段１３は、ここでは、ブロック２３の側面に螺設した両端以外の複数のねじ１３ａとこれに螺合したロックナット１３ｂであり、複数のねじ１３ａをブロック２３の側面から突出する方向に螺回することにより、ねじ１３ａの外端で、前記使用済みバラードメッキ版Ｗの、ベースロール１２の凹部１２ａの段部端面に重ね合わせた折り曲げ端に強く突っ張って、ロックナット１３ｂを凹部１２ａの段部端面に締付けるように構成されている。なお、一端固定手段は、使用済みバラードメッキ版Ｗの、凹部１２ａの段部端面に重ね合わせた折り曲げ端を固定することができる構成であれば足りる（図４参照）。
【００１９】
一対のフリー回転ロール１４，１４は、両端の軸部を装置フレーム１１に枢支されたクランクアーム４０，４０に支持されていて、このクランクアーム４０，４０がエアシリンダ４１，４１により揺動されることにより、昇降ヘッド１７を挟むベースロール１２の周方向の両側位置で前記使用済みバラードメッキ版Ｗをベースロール１２の２つの母線に沿って押え付けるように構成されている（図１，図２，図５参照）。
【００２０】
一対のキャスター１５，１５は、球体１５ａを回転可能に保持体１５ｂに保持してなり、保持体を、ワイヤーブラシ回転工具１６の移動方向両側に位置するキャスター支持ロッド２６の下端に支持されように構成されている。キャスター支持ロッド２６は、昇降ヘッド１７に上下動可能に係合案内されかつばね２７で下方へ付勢され、ワイヤーブラシ回転工具１６よりも先に、使用済みバラードメッキ版Ｗに当接して、ワイヤーブラシ回転工具１６が使用済みバラードメッキ版Ｗに当接して停止するまで上昇して、蓄勢復帰力を増大することにより使用済みバラードメッキ版Ｗの浮き上りを抑えるように構成されている（図１参照）。
【００２１】
ワイヤーブラシ回転工具１６は、シャフトの下端大径部の下端面にステンレスワイヤを鉛直方向に植設したワイヤブラシを有しており、シャフトを、昇降ヘッド１７に備えるスピンドルチャック２８にチャックされていて、昇降ヘッド１７に備えるモータ２９により回転されて、昇降ヘッド１７が下降すると、ワイヤブラシの先端を使用済みバラードメッキ版Ｗに突き立てて回転して版面に擦傷を付けて潰版する役目を果たす（図１,図２参照）。
【００２２】
走行フレーム１８は、後端部に設けたリニアガイド３０が装置フレーム１１の後面部に設けた直動ガイド３１に支持されると共に、前端部に設けたコロ３２が装置フレーム１１の前面部に設けた直動ガイド３３上を転動することにより往復動可能に支持されている。さらに、走行フレーム１８は、ナットランナー３４を有していて、このナットランナー３４が装置フレーム１１の後面側に両端支持される送りねじ３５に螺合していて、装置フレーム１１の側面部に設けたモータ３６により送りねじ３５を回転することにより、ワイヤーブラシ回転工具１６をベースロール１２の一端外方から他端外方までの間を往復動するように構成されている（図１，図２参照）。
【００２３】
昇降ヘッド１７から上方に伸びているガイドロッド３７が走行フレーム１８に設けたガイド孔３８に通されている。そして、走行フレーム１８に設けたエアシリンダ３９のピストンロッド３９ａを伸縮することにより、昇降ヘッド１７を昇降できるようになっている。エアシリンダ３９は、ワイヤーブラシ回転工具１６に付設した圧力センサ（図示しない）の検出信号に基づいて、ワイヤーブラシ回転工具１６の使用済みバラードメッキ版Ｗに対する圧力が適切な値となるように構成されている（図１，図２参照）。
【００２４】
上記構成により、使用済みのグラビア印刷ロールから剥離し切り離した使用済みバラードメッキ版Ｗの一端をベースロール１２の段部に一端固定手段１３により固定してからベースロール１２に巻付けた状態にして一対のフリー回転ロール１４，１４で押さえ付ける。そして、一対のフリー回転ロール１４，１４間の使用済み版Ｗに一対のキャスター１５，１５を押し付けて、ワイヤーブラシ回転工具１６を、使用済み版Ｗに突き立てて回転しかつベースロール１２の両端において前記使用済みバラードメッキ版Ｗの固定端から巻付け方向にブラシ先端が版面に擦傷するように回転してベースロール１２の母線方向に一端から他端まで移動して版面に擦傷を付けて潰版する。次いで、ベースロール１２を、ハンドル１９又はモータ２０により一回の研磨幅に対応するステップ角ずつ回動する。再び、ワイヤーブラシ回転工具１６を、使用済み版Ｗに突き立てて回転しかつベースロール１２の両端において前記使用済みバラードメッキ版Ｗの固定端から巻付け方向にブラシ先端が版面に擦傷するように半転してベースロール１２の母線方向に前記他端から前記一端まで移動して版面に擦傷を付けて潰版する。こうして、版面に擦傷を付けて潰版することを、ベースロール１２をステップ回動する毎に反復して、研磨粉の発生を微量に抑えて全版面を潰版する。
【００２５】
上記実施形態によれば、使用済みのグラビア印刷ロールから剥離し切り離した使用済みバラードメッキ版を、研磨粉が微量しか発生しないように無数の傷を付けて版面を潰しその後リサイクルに回すことができる。
【００２６】
以上、図面を参照して本考案の実施形態を詳述してきたが、前記実施形態に限定されるものでなく、本考案の要旨を逸脱しない範囲内で、種々の設計変更をした形態を含むものである。
【図面の簡単な説明】
【００２７】
【図１】本考案の実施形態に係る版面潰版装置の正面図
【図２】図１におけるII−II断面図
【図３】図１におけるIII−III断面図
【図４】図１におけるIV−IV断面図
【図５】図１における異なる動作状態の要部断面図
【符号の説明】
【００２８】
１０  版面潰版装置
Ｗ  使用済みバラードメッキ版
１２  ベースロール
１２ａ  凹部
１３  一端固定手段
１４  フリー回転ロール
１５  キャスター
１６  ワイヤーブラシ回転工具
１７  昇降ヘッド
１８  走行フレーム
３９  エアシリンダ
【図１】
0003126910.tif 000003
【図２】
0003126910.tif 000004
【図３】
0003126910.tif 000005
【図４】
0003126910.tif 000006
【図５】
0003126910.tif 000007